【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
電気信号を処理する方法であって、
少なくとも１本の主リードを介して電気信号を捕捉するステップを有し、
前記少なくとも１本の主リードの周囲の電磁ノイズを測定するときに、少なくとも３本のノイズリードを介して少なくとも１つのノイズ基準信号を捕捉するステップを有し、
処理装置によって前記電気信号及び前記ノイズ基準信号を受け取るステップを有し、
前記処理装置によって前記電気信号を処理して前記電気信号から前記ノイズ基準信号を除去して処理済み電気信号を得るステップを有し、
前記処理済み電気信号をトリガ信号として磁気共鳴イメージングシステムに送信し、前記磁気共鳴イメージングシステムが前記処理済み電気信号に基づいて少なくとも１つの画像を捕捉することができるようにするステップを更に有し、
前記少なくとも３本のノイズリードは、
第１の平面上に形成された導電ループを含む第１のノイズリードと、
第２の平面上に形成された導電ループを含む第２のノイズリードと、
第３の平面上に形成された導電ループを含む第３のノイズリードと、を備え、
前記第１、前記第２及び前記第３の平面は、互いに平行ではないことを特徴とする方法。
【請求項２】
前記少なくとも３本のノイズリードの各々は、互いに直交して位置決めされ、少なくとも３つの導電ループを含む、請求項１記載の方法。
【請求項３】
前記第１のノイズリードからの第１のノイズ基準信号、前記第２のノイズリードからの第２のノイズ基準信号及び前記第３のノイズリードからの第３の基準信号は、前記ノイズ基準信号を形成するよう互いに加算される、請求項１記載の方法。
【請求項４】
前記電気信号は、動いている要素の運動を表す電気信号であり、前記動いている要素は、心臓、血管又は心脈管系のうちの少なくとも１つである、請求項１記載の方法。
【請求項５】
少なくとも１本のノイズリードは、金属混入物のない炭素フィラメントワイヤから成る、請求項１記載の方法。
【請求項６】
電気信号を処理するシステムであって、
電気信号を送信するよう構成された少なくとも１本の主リードを有し、
前記少なくとも１本の主リードの周囲の電磁ノイズを測定するときに、少なくとも１つのノイズ基準信号を捕捉するよう構成された少なくとも３本のノイズリードを有し、
前記電気信号及び前記ノイズ基準信号を受信するよう構成された受信装置を有し、
処理済み電気信号を得て送信装置にトリガ信号として前記処理済み電気信号を磁気共鳴イメージングシステムに送信させるために前記電気信号から前記ノイズ基準信号を除去するよう構成されたプロセッサを有し、前記磁気共鳴イメージングシステムは、前記処理済み電気信号に基づいて少なくとも１つの画像を捕捉することができ、
前記少なくとも３本のノイズリードは、
第１の平面上に形成された導電ループを含む第１のノイズリードと、
第２の平面上に形成された導電ループを含む第２のノイズリードと、
第３の平面上に形成された導電ループを含む第３のノイズリードと、を含み、
前記第１、前記第２及び前記第３の平面は、互いに平行ではないことを特徴とするシステム。
【請求項７】
前記少なくとも３本のノイズリードの各々は、互いに直交して位置決めされ、少なくとも３つの導電ループを含む、請求項６記載のシステム。
【請求項８】
前記プロセッサは更に、前記第１のノイズリードからの第１のノイズ基準信号、前記第２のノイズリードからの第２のノイズ基準信号及び前記第３のノイズリードからの第３の基準信号を加算して前記ノイズ基準信号を形成するよう構成されている、請求項６記載のシステム。
【請求項９】
前記電気信号は、動いている要素の運動を表す電気信号であり、前記動いている要素は、心臓、血管又は心脈管系のうちの少なくとも１つである、請求項６記載のシステム。
【請求項１０】
少なくとも１本のノイズリードは、金属混入物のない炭素フィラメントワイヤから成る、請求項６記載のシステム。
【請求項１１】
前記電気信号を処理して前記ノイズ基準信号を除去するステップは、
前記第１のノイズリードから捕捉された第１のノイズ基準信号を除去するステップと、
前記第２のノイズリードから捕捉された第２のノイズ基準信号を除去するステップと、
前記第３のノイズリードから捕捉された第３のノイズ基準信号を除去するステップと、を備えている請求項１記載の方法。
【請求項１２】
前記電気信号から前記ノイズ基準信号を除去することは、
前記第１のノイズリードから捕捉された第１のノイズ基準信号を除去し、
前記第２のノイズリードから捕捉された第２のノイズ基準信号を除去し、
前記第３のノイズリードから捕捉された第３のノイズ基準信号を除去する請求項６記載の方法。
【請求項１３】
前記電気信号は、生物学的機能で反応する生体によって放出される請求項１記載の方法。
【請求項１４】
前記電気信号は、生物学的機能で反応する生体によって放出される請求項６記載のシステム。
【請求項１５】
電気信号を処理する方法であって、
少なくとも１本の主リードを介して、生物学的機能で反応する生体によって放出される電気信号を送信するステップを有し、
前記少なくとも１本の主リードの周囲の電磁ノイズを測定するときに、ノイズ基準信号を少なくとも１本のノイズリードを介して捕捉するステップを有し、前記少なくとも１本のノイズリードは、平面上に形成された少なくとも１本の導電ループを備え、
処理装置によって前記電気信号及び前記ノイズ基準信号を受け取るステップを有し、
前記処理装置によって前記電気信号を処理して前記電気信号から前記ノイズ基準信号を除去して処理済み電気信号を得るステップを有し、
前記処理済み電気信号をトリガ信号として磁気共鳴イメージングシステムに送信し、前記磁気共鳴イメージングシステムが前記処理済み電気信号に基づいて少なくとも１つの画像を捕捉することができるようにするステップを更に有することを特徴とする方法。
【請求項１６】
前記電気信号は、心臓エコー図用の信号又は脳波図用の信号である請求項１３記載の方法。
【請求項１７】
前記電磁ノイズは、磁気共鳴イメージング装置によって生ずる請求項１３記載の方法。
【請求項１８】
前記少なくとも１本のノイズリードは、第１の平面上に形成された導電ループを含む第１のノイズリードと、第２の平面上に形成された導電ループを含む第２のノイズリードと、第３の平面上に形成された導電ループを含む第３のノイズリードと、を備え、前記第１、前記第２及び前記第３の平面は、互いに平行ではない請求項１３記載の方法。
【請求項１９】
第１のノイズリードからの第１のノイズ基準信号、第２のノイズリードからの第２のノイズ基準信号、及び、第３のノイズリードからの第３のノイズ基準信号は、ノイズ基準信号を形成するように互いに加算される請求項１７記載の方法。
【請求項２０】
前記ノイズ基準信号を前記電気信号から除去するステップは、
前記第１のノイズリードから捕捉された第１のノイズ基準信号を除去するステップと、
前記第２のノイズリードから捕捉された第２のノイズ基準信号を除去するステップと、
前記第３のノイズリードから捕捉された第３のノイズ基準信号を除去するステップと、を備えている請求項１７記載の方法。
【請求項２１】
電気信号を処理するシステムであって、
生物学的機能で反応する生体によって放出される電気信号を送信するように構成された少なくとも１本の主リードを有し、
前記少なくとも１本の主リードの周囲の電磁ノイズを測定するときに、ノイズ基準信号を捕捉するように構成された少なくとも１本のノイズリードを有し、この少なくとも１本のノイズリードは、平面上に形成された少なくとも１本の導電ループを備え、
前記電気信号及び前記ノイズ基準信号を受け取るように構成された受信装置を有し、
処理済み電気信号を得て送信装置にトリガ信号として前記処理済み電気信号を磁気共鳴イメージングシステムに送信させるために前記電気信号から前記ノイズ基準信号を除去するよう構成されたプロセッサを有し、前記磁気共鳴イメージングシステムは、前記処理済み電気信号に基づいて少なくとも１つの画像を捕捉することができることを特徴とするシステム。
【請求項２２】
前記電気信号は、心臓エコー図用の信号又は脳波図用の信号である請求項２１記載のシステム。
【請求項２３】
前記電磁ノイズは、磁気共鳴イメージング装置によって生ずる請求項２１記載のシステム。
【請求項２４】
前記少なくとも３本のノイズリードは、第１の平面上に形成された少なくとも１つの導電ループを含む第１のノイズリードと、第２の平面上に形成された少なくとも１つの導電ループを含む第２のノイズリードと、第３の平面上に形成された少なくとも１つの導電ループを含む第３のノイズリードと、を含み、前記第１、前記第２及び前記第３の平面は、互いに平行ではない請求項２１記載のシステム。
【請求項２５】
第１のノイズリードからの第１のノイズ基準信号、第２のノイズリードからの第２のノイズ基準信号、及び、第３のノイズリードからの第３のノイズ基準信号は、ノイズ基準信号を形成するように互いに加算される請求項２４記載のシステム。
【請求項２６】
前記ノイズ基準信号を前記電気信号から除去するステップは、
前記第１のノイズリードから捕捉された第１のノイズ基準信号を除去するステップと、
前記第２のノイズリードから捕捉された第２のノイズ基準信号を除去するステップと、
前記第３のノイズリードから捕捉された第３のノイズ基準信号を除去するステップと、を備えている請求項２４記載のシステム。